(57)【要約】【課題】従来のベルト巻取機は、落下した場合にベルトが全て引出されるものであった。よって、落下距離が長くなり落下衝撃荷重が大きくなると共に、下層の構造物に激突し、二次災害の発生も見られた。【解決手段】落下した場合に、ベルトＲが引出されると、ボビン３に設けた遠心爪６が回動し、爪受部４１に係止してボビン３の回転を防止する巻取機に、切替レバー９を設けて、定位置ロック機能と、常時巻取り機能とを持たせ、必要に応じて切替えを可能として、墜落した時は、遠心爪６が作用して最短距離の落下により、落下衝撃荷重を低くし、下層構造物との激突による二時災害を防止するものである。【選択図】　　　　図１
0003097943.tif 000002
【実用新案登録請求の範囲】
【請求項１】
略コ字状フレーム１の両辺中央部分に軸孔１１を設け、両軸孔１１間に軸２を回動自在に貫通して設け、該軸２に、ボビン３を嵌合固定し、一方のフレーム１の一辺内側部とボビン３の間に、内側に爪受部４１を設けたリング板４を鋲着し、フレーム１の外側部にうず巻状のバネ５を配し、軸２に一端を固定し、他端にフックＨを有するベルトＲをボビン３へ巻き込む力を附勢し、該ボビン３のリング板４側側壁に、遠心爪６を偏心位置に軸止して設け、通常はボビン３と共に回動し、ある加速度を越えたときに軸位置を中心に回転し、爪受部４１と当接して噛合し、ボビン３の回転を停止し、ベルトＲの繰り出しを阻止する墜落防止用安全帯のベルト巻取機において、軸２端にラチェット歯７を嵌合し、該ラチェット歯７と噛合して軸２の回転を停止し、該軸２と嵌合したボビン３の回転を停止するカム８の基端部を、ケース１０に設けた軸１０１に回動自在に軸支すると共に、常時ラチェット歯７と噛合する方向にバネ８３を附勢し、該カム８の先端部側を延長突出し、該突出部８２に切替レバー９の一端部を係合し、他端部をケース外部面に突出し、基端部に設けた穴９１をケース１０に設けた軸１０２に回動自在に設け、該切替レバー９を回動した際には、切替レバー９の一端部がカム８の突出部８２を押し上げ、噛合部８１との噛合を解除する構造を特徴とする墜落防止用安全帯のベルト巻取機。
【考案の詳細な説明】
【０００１】
【考案の属する技術分野】
本願は、高所で作業する際に使用する、安全帯に関するものであり、特に、従来のロープに替えたベルトを巻取る方式の安全帯の巻取機の改良に係るものである。
【０００２】
【従来の技術】
以前より、墜落防止用安全帯のベルトの巻取機は、巻取機より先端にフックの付いたベルトを引出し、所定の長さでフックを係止すれば、その位置でベルト長はロックされるものであった。よって、その長さ内で移動する際には、ベルトがたるみ、予期せぬ構造物に引っかかって、不安定な姿勢になることがみられた。これは、直接墜落にはつながらないものであるが、万が一、鋭利な角に接触すればベルトが切断することも考えられるものであった。
【０００３】
よって、上記の課題を解決するものとして、出願人が実用新案登録第２５７６２７１号、実用新案登録第２５８７５５３号で開示したものがある。
前者は、ラチェット歯と噛合しているカムに延長部を設け、その延長部に当接する切替レバーを設け、前記したように、ベルトの定位置ロック機能と、ラチェット歯より常時カムを浮上させて、作業者の移動に追随してベルトが引き出され、構造物に係止したフックと人体（巻取機）との間のベルトにたるみが発生しない常時巻取り機能を持たせ、必要に応じて切替えを可能としたものである。
後者は、前者の切替レバーにカムを一体に形成し、このカムを直接動作させ、ラチェット歯への噛合、解除を行い、部品点数を減らしたものであり、前記と同じく、ベルトの定位置ロック機能と、構造物に係止したフックと人体（巻取機）との間のベルトにたるみが発生しない常時巻取り機能を持たせたものである。
【０００４】
しかし、前記した巻取機は、万が一作業者が高所より墜落した場合、ベルトは全長にわたって引き出されるもので、落下距離が長くなることにより、落下衝撃荷重が高くなると共に、下層の構造物に激突し、墜落は免れても二次災害を受けることも考えられるものであった。
また、切替レバーに設けたバネはキック式バネであり、長期の使用に難点があった。
【０００５】
【考案が解決しようとする課題】
巻取機の欠点を解決するものとして、出願人が実用新案登録第３００８６５６号で開示したものがある。
これは、墜落が発生してベルトが引出されると、その加速度によりベルトを巻き取ったボビンに連設した遠心爪が固定された軸を支点にして外方へ開き、ラチェット歯に噛合してボビンの回転を止め、ベルトの繰り出しを停止して、落下距離を短くし、落下衝撃荷重を低くするものである。
【０００６】
【課題を解決するための手段】
よって本願では、前記の遠心爪を設けた巻取機に、切替レバーを設けて、定位置ロック機能と、常時巻取り機能とを持たせ、必要に応じて切替えを可能として、墜落した時は、遠心爪が作用して最短距離の落下により、落下衝撃荷重を低くし、下層構造物との激突による二時災害を防止するものである。
また、切替レバーに設けるバネを圧縮コイルバネとし、長期の使用に対応したものである。
【０００７】
【実施例】
本願の実施例を詳記すると、図１に示すように、略コ字状に折曲したフレーム１の両辺中央部分に軸孔１１を設け、両軸孔１１間に軸２を回動自在に貫通して設け、該軸２にはボビン３を嵌合固定する。フレーム１の一辺内側部とボビン３との間に、内側に爪受部４１を設けたリング板４を鋲着し、外側部にうず巻状のバネ５を配し、軸２に一端を固定し、他端にフックを有するベルトＲをボビン３へ巻き込む力を附勢する。該ボビン３のリング板４側側壁には遠心爪６を偏心位置に軸止して設け、通常はボビン３と共に回動し得るように引きバネ６１により引かれ、ある加速度を越えたときには、軸位置を中心に、その慣性力で引きバネ６１に抗して回転し、爪受部４１と当接して噛合し、ボビン３の回転を停止し、ベルトＲの繰り出しを阻止する墜落防止用安全帯のベルト巻取機において、軸２端にラチェット歯７を嵌合し、該ラチェット歯７と噛合して軸２の回転を停止し、該軸２と嵌合したボビン３の回転を停止するカム８の基端部を、ケース１０に設けた軸１０１に回動自在に軸支すると共に、常時ラチェット歯７と噛合する方向にバネ８３を附勢し、該カム８の先端部側を延長突出し、該突出部８２に切替レバー９の一端部を係合し、他端部をケース外部面に突出し、基端部に設けた穴９１をケース１０に設けた軸１０２に回動自在に設け、該切替レバー９を回動した際には、切替レバー９の一端部がカム８の突出部８２を押し上げ、噛合部８１との噛合を解除する構造を有するものである。
さらに、コ字状フレーム１の底辺部１２をＵ字状に突出し、軸および環を連結して、機構部を上下より樹脂製のケース１０で被覆してボルトにより螺着結合したものである。
【０００８】
図１は、切替レバー９を回動し、カム８の噛合部８１がラチェット歯７に噛合し、ベルトＲの巻取りを阻止する（ベルトＲの繰り出しはできるが、巻取りは出来ない）状態である。
上記の状態より、落下した場合、ベルトＲが引き出されボビン３が高速で回転し、偏心位置に設けた遠心爪６が引きバネ６１に抗して回動し、爪受部４１に噛合して、ボビン３の回転を阻止する。よって、ベルトＲの繰り出しを防止し、落下距離が短く落下衝撃荷重は小さく、作業者の身体に受ける損傷も少ないものである。
【０００９】
図２は、切替レバー９を回動し、カム８のカム部８１を解除した状態であり、従来の絶えずベルトＲに巻取り力が加わった状態である。
【００１０】
【考案の効果】
以上のように本願のベルト巻取機を用いることにより、万が一にも手足を滑らせて墜落しても遠心爪が作用して落下距離を最小限に押えて、落下衝撃荷重を低くおさえる。よって、作業者の内臓傷害を防ぎ、安全に引き止めることができるものである。また、カム部のバネを圧縮コイルバネとすることにより、耐久性が著しく向上する。
また、切り替えレバーを設けたこの巻取機１機種で従来の両タイプが兼用できるため、２種類の製品を製造することに比して、コストダウンが図れ、安価になるため市場普及が望める効果がある。
【図面の簡単な説明】
【図１】本願巻取機のケースを一部切欠したところの正面図。
【図２】本願巻取機のケースを一部切欠し、切替レバーを解除したところの正面図。
【図３】本願巻取機の断面図。
【図４】図１の平面図。
【図５】本願巻取機のフレームを一部切欠したところの正面図。
【図６】本願巻取機を備えた安全帯の正面図。
【符号の説明】
１　フレーム
２　軸
３　ボビン
４　リング板
５　バネ
６　遠心爪
７　ラチェット歯
８　カム
９　切替レバー
１０　ケース
１１　軸孔
１２　底辺部
４１　爪受部
６１　引きバネ
８１　噛合部
８２　突出部
８３　バネ
９１　穴
１０１，１０２　軸
Ｈ　フック
Ｒ　ベルト
【図１】
0003097943.tif 000003
【図２】
0003097943.tif 000004
【図３】
0003097943.tif 000005
【図４】
0003097943.tif 000006
【図５】
0003097943.tif 000007
【図６】
0003097943.tif 000008